(57)【要約】【課題】  安定して磁気ヘッド素子に対する磁気テープの接近対接を実現し、かつ磁気ヘッド素子の磨耗の問題の解決をも図るものである。【解決手段】  長手方向に沿う記録トラックが複数本並置形成されるリニア型磁気テープ５１を用いる磁気ヘッド装置であって、それぞれ複数の磁気ヘッド素子が磁気テープの幅方向に直線的に配列され磁気テープ走行面が平坦面とされた第１および第２の磁気ヘッドスタック部１１および１２とこれら間に、作動磁気ギャップを具備しないダミーヘッド部１４が配置された構成とされる。ダミーヘッド部１４は、その前方面が平滑鏡面とされ、この前方面が磁気ヘッドスタック部１１および１２の磁気テープの走行面から、深さｄδをもって後退する位置に配置された構成とされて、凹部１５が形成され、この凹部１５の底面が上述した平滑鏡面とされたことによりテープ走行において、効果的にこの凹部１５内に早い空気流を形成し、安定して磁気テープの第１および第２の磁気ヘッドスタック部の磁気テープ走行面への磁気テープの良好な近接を実現することができるようにする。【選択図】        図３
2005276267.tif 000002
【特許請求の範囲】
【請求項１】
長手方向に沿う記録トラックが複数本並置形成されるリニア型磁気テープを用いる磁気ヘッド装置であって、
それぞれ複数の磁気ヘッド素子が上記磁気テープの幅方向に直線的に配列された第１および第２の磁気ヘッドスタック部と、
該第１および第２の磁気ヘッドスタック部間に配置された作動磁気ギャップを具備しないダミーヘッド部とを有して成り、
上記第１および第２の磁気ヘッドスタック部は、それぞれの磁気ヘッド素子が臨む磁気テープ走行面が平滑平面とされて、これら磁気テープ走行面が同一平面上に平行して配列され、
上記ダミーヘッド部は、その前方面が平滑鏡面とされ、該前方面は、上記両磁気ヘッドスタック部の上記磁気テープの走行面から、深さｄδをもって後退する位置に配置されて成ることを特徴とする磁気ヘッド装置。
【請求項２】
上記ダミーヘッドの前方面は、表面粗度Ｒａ（中心線平均粗さ）が、５０ｎｍ以下とされたことを特徴とする請求項１に記載の磁気ヘッド装置。
【請求項３】
上記ダミーヘッドの前方面の、第１および第２の磁気ヘッドスタック部の磁気テープ走行面からの上記後退深さｄδが、２０ｎｍ以下とされたことを特徴とする請求項１に記載の磁気ヘッド装置。
【請求項４】
上記第１および第２の磁気ヘッドスタック部のテープ走行方向と交叉する各両側端縁における上記磁気テープのラップ角を、０．５°〜７．０°としたことを特徴とする請求項１に記載の磁気ヘッド装置。
【請求項５】
上記ダミーヘッド部は、上記第１および第２の磁気ヘッドスタック部と別体に構成され、その前方面が研磨され、該ダミーヘッド部の両側面に上記第１および第２の磁気ヘッドスタック部が接合合体されて成ることを特徴とする請求項１に記載の磁気ヘッド装置。
【請求項６】
上記ダミーヘッド部の上記第１および第２の磁気ヘッドスタック部と隣接する縁部に沿って上記ダミーヘッド部の前方面に、トラック幅方向に沿う溝がそれぞれ形成されて成ることを特徴とする請求項１に記載の磁気ヘッド装置。
【請求項７】
長手方向に沿う記録トラックが複数本並置形成されるリニア型磁気テープを用いる磁気ヘッド装置を具備する磁気テープドライブ装置であって、
上記磁気ヘッド装置は、
それぞれ複数の磁気ヘッド素子が上記磁気テープの幅方向に直線的に配列された第１および第２の磁気ヘッドスタック部と、
該第１および第２の磁気ヘッドスタック部間に配置された作動磁気ギャップを具備しないダミーヘッド部とを有して成り、
上記第１および第２の磁気ヘッドスタック部は、それぞれの磁気ヘッド素子が臨む磁気テープ走行面が平滑平面とされて、これら磁気テープ走行面が同一平面上に平行して配列され、
上記ダミーヘッド部は、その前方面が平滑鏡面とされ、該前方面は、上記両磁気ヘッドスタック部の上記磁気テープの走行面から、深さｄδをもって後退する位置に配置されて成ることを特徴とする磁気テープドライブ装置。
【請求項８】
上記ダミーヘッドの前方面は、表面粗度Ｒａ（中心線平均粗さ）が、５０ｎｍ以下とされたことを特徴とする請求項７に記載の磁気テープドライブ装置。
【請求項９】
上記ダミーヘッドの前方面の、第１および第２の磁気ヘッドスタック部の磁気テープ走行面からの上記後退深さｄδが、２０ｎｍ以下とされたことを特徴とする請求項７に記載の磁気テープドライブ装置。
【請求項１０】
上記第１および第２の磁気ヘッドスタック部のテープ走行方向と交叉する各両側端縁における上記磁気テープのラップ角を、０．５°〜７．０°としたことを特徴とする請求項７に記載の磁気テープドライブ装置。
【請求項１１】
上記ダミーヘッド部は、上記第１および第２の磁気ヘッドスタック部と別体に構成されその前方面が研磨され、該ダミーヘッド部の両側面に上記第１および第２の磁気ヘッドスタック部が接合合体されて成ることを特徴とする請求項７に記載の磁気テープドライブ装置。
【請求項１２】
上記ダミーヘッド部の上記第１および第２の磁気ヘッドスタック部と隣接する縁部に沿って上記ダミーヘッド部の前方面に、トラック幅方向に沿う溝がそれぞれ形成されて成ることを特徴とする請求項７に記載の磁気テープドライブ装置。
【発明の詳細な説明】
【技術分野】
【０００１】
本発明は、リニア型磁気テープに対する記録または／および再生がなされる磁気ヘッド装置および磁気テープドライブ装置に係わる。
【背景技術】
【０００２】
近年、例えばコンピュータシステムで、取り扱うデータ量の増大化によって、そのバックアップ装置として磁気テープを用いたデータストレージシステムの需要が高まっている。
このデータストレージシステムとして、リニア型磁気テープドライブ方式によるストレージシステムがある。
【０００３】
このリニア型磁気テープシステムにおいては、磁気テープの長手方向の走行方向に沿って直線的にデータの記録再生が行われる。図６は、このリニア磁気テープの一例のフォーマットの模式図で、それぞれサーボ信号が記録されたサーボバンドＳＢが磁気テープ５１の長手方向に沿って形成され、これらサーボバンドＳＢ間に、データバンドＤＢが配置された構成を有する。
データバンドＤＢには、多数本のデータトラック、すなわち記録トラック（図示せず）が磁気テープ５１の長手方向に沿って、幅方向に多数本並置形成され、大容量化が図られている。
【０００４】
この磁気テープ５１に対する記録・再生は、複数の磁気ヘッド素子が配列されたマルチチャンネルによる磁気ヘッド装置が用いられる。
そして、この磁気ヘッド装置に対して磁気テープ５１を往復移行し、磁気ヘッド装置の磁気ヘッド部１０を、磁気テープ５１の幅方向に、所定量移行することで、それぞれの往復移行において、それぞれ複数の選択されたトラックに対して、同時に記録もしくは再生を行うことでデータの大容量化記録再生の高速化を図っている。
この磁気ヘッド装置は、例えば図７にその一部の模式的正面図を示すように、それぞれ磁気ヘッド素子が配列された第１および第２の磁気ヘッドスタック部１０１および１０２が接合された磁気ヘッド部１０より成る。
【０００５】
各磁気ヘッドスタック部１０１および１０２においては、同一トラック上に、それぞれ記録磁気ヘッド素子１Ｗと再生磁気ヘッド素子１Ｐとが並置形成される。各スタック部１０１および１０２において、各記録磁気ヘッド素子１Ｗおよび再生磁気ヘッド素子１Ｐは、その作動磁気ギャップが、所定の間隔を保持してそれぞれ直線的に配列される。
【０００６】
この構成において、例えば磁気テープ走行の往路において、第１の磁気ヘッドスタック部１０１における各記録磁気ヘッド素子１Ｗによって、データ信号記録がなされ、この記録を、各磁気ヘッド素子１Ｗと並置された他方の第２の磁気ヘッドスタック部１２における再生磁気ヘッド素子１Ｐによって再生し、例えば記録状態のモニタ等がなされる。
また、例えば磁気テープ走行の復路において、第２の磁気ヘッドスタック部１０２における各記録磁気ヘッド素子１Ｗによって、データ信号記録がなされ、この記録を、第１の磁気ヘッドスタック部１０１における再生磁気ヘッド素子１Ｐによって再生される。
【０００７】
これら記録・再生における磁気ヘッド素子のデータトラックに対するトラッキングは、対象とするデータバンドＤＢを挟んでその両側に配置されたサーボバンドＳＢに記録されたヘッド位置制御用サーボデータ信号の読み出しによってなされる。
【０００８】
このようなリニア型磁気テープに対する記録再生磁気ヘッド装置の基本性能は、磁気テープ５１と磁気ヘッド部１０とができるだけスペーシングロスなく、近接接触させることである。
しかし、一方、再生磁気ヘッド素子１Ｐを高性能の磁気抵抗効果型磁気ヘッド素子によって構成する場合、この磁気ヘッドの摩耗の回避が重要な要素となる。
【０００９】
このような、磁気テープと磁気ヘッドとの近接と、磁気ヘッドの磨耗との双方についてその性能を高める磁気ヘッドとして、磁気テープ走行面を通常の彎曲面に代えて平坦面とし、またキャビティを設けて、キャビティ上を磁気テープが通過するとき、周囲以下の圧力状態を得て磁気テープをキャビティ内に屈曲または変形させてテープの安定性を図るようにした磁気ヘッドの提案がなされている（特許文献１参照）。
【特許文献１】特開２０００−２０７８００号
【発明の開示】
【発明が解決しようとする課題】
【００１０】
上述したように、磁気ヘッド装置において、テープ走行面の平坦面化や、キャビティを設ける構造の磁気ヘッドが提案されているものの、必ずしも安定して磁気テープが磁気ヘッド素子に近接接触し、かつ磨耗性の改善を充分図ることができない場合が生じていて、高い歩留まりをもって、目的とする磁気ヘッドが得られていないという問題が生じている。
【００１１】
本発明においては、多数の磁気ヘッド素子が、磁気テープのトラック幅方向に配列されたリニア型磁気テープが用いられる磁気ヘッド装置および磁気テープドライブ装置において、確実に、安定して磁気ヘッド素子に対する磁気テープの対接ないしは近接対向を実現し、かつ磁気ヘッド素子の磨耗の問題の解決をも図ることができるようにした磁気ヘッド装置および磁気テープドライブ装置を提供するものである。
【００１２】
すなわち、本発明においては、すでに提案されている磁気ヘッドにおけるように、キャビティを設けるのみでは達成できない、磁気テープの引き込みの安定化を良好に行うことができる構成を見出し、これに基いた磁気ヘッド装置および磁気テープドライブ装置を提供するものである。
【課題を解決するための手段】
【００１３】
本発明による磁気ヘッド装置は、長手方向に沿う記録トラックが複数本並置形成されるリニア型磁気テープを用いる磁気ヘッド装置であって、それぞれ複数の磁気ヘッド素子が上記磁気テープの幅方向に直線的に配列された第１および第２の磁気ヘッドスタック部と、
該第１および第２の磁気ヘッドスタック部間に配置された作動磁気ギャップを具備しないダミーヘッド部とを有して成り、上記第１および第２の磁気ヘッドスタック部は、それぞれの磁気ヘッド素子が臨む磁気テープ走行面が平滑平面とされて、これら磁気テープ走行面が同一平面上に平行して配列され、上記ダミーヘッド部は、その前方面が平滑鏡面とされ、該前方面は、上記両磁気ヘッドスタック部の上記磁気テープの走行面から、深さｄδをもって後退する位置に配置されて成ることを特徴とする。
【００１４】
本発明による磁気テープドライブ装置は、長手方向に沿う記録トラックが複数本並置形成されるリニア型磁気テープを用いる磁気ヘッド装置を具備する磁気テープドライブ装置であって、上記磁気ヘッド装置は、それぞれ複数の磁気ヘッド素子が上記磁気テープの幅方向に直線的に配列された第１および第２の磁気ヘッドスタック部と、該第１および第２の磁気ヘッドスタック部間に配置された作動磁気ギャップを具備しないダミーヘッド部とを有して成り、上記第１および第２の磁気ヘッドスタック部は、それぞれの磁気ヘッド素子が臨む磁気テープ走行面が平滑平面とされて、これら磁気テープ走行面が同一平面上に平行して配列され、上記ダミーヘッド部は、その前方面が平滑鏡面とされ、該前方面は、上記両磁気ヘッドスタック部の上記磁気テープの走行面から、深さｄδをもって後退する位置に配置されて成ることを特徴とする。
【００１５】
また、本発明は、上述した磁気ヘッド装置および磁気テープドライブ装置にあって、上記ダミーヘッドの前方面は、表面粗度Ｒａ（中心線平均粗さ）が、５０ｎｍ以下とされたことを特徴とする。
【００１６】
また、本発明は、上述した磁気ヘッド装置および磁気テープドライブ装置にあって、上記ダミーヘッドの前方面の、第１および第２の磁気ヘッドスタック部の磁気テープ走行面からの上記後退深さｄδが、２０ｎｍ以下とされたことを特徴とする。
【００１７】
また、本発明は、上述した磁気ヘッド装置および磁気テープドライブ装置にあって、上記第１および第２の磁気ヘッドスタック部のテープ走行方向と交叉する各両側端縁におけるラップ角を、０．５°〜７．０°、好ましくは０．５°〜５．０°としたことを特徴とする。
【００１８】
また、本発明は、上述した磁気ヘッド装置および磁気テープドライブ装置にあって、上記ダミーヘッド部は、上記第１および第２の磁気ヘッドスタック部と別体に構成され、その前方面が研磨され、該ダミーヘッド部の両側面に上記第１および第２の磁気ヘッドスタック部が接合合体されて成ることを特徴とする。
【００１９】
また、本発明は、上述した磁気ヘッド装置および磁気テープドライブ装置にあって、上記ダミーヘッド部の上記第１および第２の磁気ヘッドスタック部と隣接する縁部に沿って上記ダミーヘッド部の前方面に、トラック幅方向に沿う溝がそれぞれ形成されて成ることを特徴とする。
【発明の効果】
【００２０】
上述したように、本発明は、磁気ヘッド装置、および磁気テープドライブ装置を構成する磁気ヘッド装置において、それぞれ複数の磁気ヘッド素子が配列された磁気ヘッドスタック部間に、その前方面を後退させたダミーヘッド部を配置し、磁気テープ走行面が、両磁気ヘッドスタック部間で、凹部が形成され、この凹部に磁気テープの引き込みを行う構成とする。
しかし、単に、磁気ヘッドスタック部間に、凹部を形成するのみでは、安定して、テープの引き込みがなされないが、本発明においては、この凹部の底面、すなわち上述したダミーヘッド部の前方面を、平滑鏡面、つまり、平坦で、かつ滑らかな鏡面とすることにより、磁気テープが安定して凹部底面に沿うように、引き込まれることを見出し、このダミーヘッド部の前方面を平滑鏡面、具体的には、磁気テープと同程度の鏡面の少なくともＲａが５０ｎｍ以下の可能な範囲での平滑鏡面とする。
【００２１】
このように、凹部の底面を平滑鏡面とすることにより磁気テープの引き込みが良好に行われるのは、テープ走行に伴うダミーヘッド部による空気流に対する凹部の底面の空気抵抗が小さくなり、安定した空気の層流が生じ、しかもこの層流の速度が速められることにより、ベルヌーイの定理によって効果的に磁気テープの凹部底面側の負圧が大となって磁気テープの凹部内への、すなわち凹部底面への引き込みが安定に生じるものと思われる。
【００２２】
そして、このように、磁気テープが凹部内に引き込まれることにより、第１および第２の磁気ヘッドスタック部のテープ走行面への磁気テープの対接ないしは近接対向を、安定して、行うことができるものである。
【００２３】
更に、上述したように、表面粗度Ｒａが５０ｎｍ以下の平滑鏡面とすることによって引き込み効果の発生がなされるものであるが、このＲａは、小さいほど良好に引き込みがなされる。また、ダミーヘッド部による凹部の深さｄδは、２０ｎｍ以下とし、表面粗度に応じてその深さの選定がなされる。
【００２４】
また、本発明構成において、ダミーヘッド部を、第１および第２の磁気ヘッドスタック部と別体に構成することによって、その前方面の平滑鏡面の研磨仕上げを高い精度をもって良好に行うことができる。
【００２５】
また、第１および第２の磁気ヘッドスタック部の両側縁に対する磁気テープのラップ (ｗrap)角を、０．５°〜７．０°、好ましくは０．５°〜５．０°とすることにより、テープ走行面への磁気テープの対接ないしは近接対向を、安定して行うことができるものである。
そして、ダミーヘッド部の前方面の両側に、溝を形成することにより、第１および第２の磁気ヘッドスタック部のダミーヘッド部と隣接する側の側縁に対する磁気テープのラップ角の選定が容易となるものである。
【発明を実施するための最良の形態】
【００２６】
本発明は、リニア型磁気テープが用いられる磁気ヘッド装置および磁気テープドライブ装置であり、図１は、本発明による磁気テープドライブ装置の実施形態例の概略構成図を示す。しかしながら、本発明は、この実施の形態例に限定されるものではない。
【００２７】
この磁気テープドライブ装置は、磁気ヘッド部１０を有する本発明による磁気ヘッド装置６０と、この磁気ヘッド装置６０の磁気テープ走行面に対して磁気テープ５１を往復移行するように走行させる磁気テープ走行駆動部７０とを有して成る。
【００２８】
磁気テープ走行駆動部７０は、磁気テープ５１が、巻回される第１の巻回部５２を有するテープカセット５３のテープカセット装着部５４と、テープカセット５３から引き出された磁気テープ５１を磁気ヘッド装置６０に案内する複数のガイドローラ、ガイドピン等の案内体を有する案内手段５５と、例えばカセット５３外に配置された磁気テープ５１の第２の巻回部５６と、第１および第２の巻回部５２との間に磁気テープ５１をその長手方向に往復走行させる各巻回部５２および５６の回転駆動部（図示せず）等を有して成る。
【００２９】
磁気ヘッド装置６０は、図２に磁気ヘッド装置６０の一実施形態例の斜視図を示すように、磁気ヘッド部１０を支持する磁気ヘッド構体６１を有する。
磁気ヘッド構体６１は、この磁気ヘッド構体６１を磁気テープの幅方向に移動させる粗動追従機構６２を具備する。
また、磁気ヘッド部１０は、磁気ヘッド構体６１に、磁気ヘッド部１０を磁気テープの幅方向に微小移動させる微動追従機構６３を介して取着される。
【００３０】
粗動追従機構６２は、例えばステップモータ等によって、磁気ヘッド６１を、磁気テープ５１の幅方向に移動するようになされ、微動追従機構６３は、例えば１対の圧電バイモルフ６３ａおよび６３ｂより成り、これらバイモルフ６３ａおよび６３ｂの各固定部を、磁気ヘッド構体６１に固定し、駆動部すなわち変位部を磁気ヘッド部１０の両端に結合する。
【００３１】
磁気テープ５１は、図６で説明したように、それぞれサーボ信号が記録されたサーボバンドＳＢが磁気テープ５１の長手方向に沿って形成され、これらサーボバンドＳＢ間に、データバンドＤＢが配置された構成を有する。
データバンドＤＢには、多数本のデータトラック、すなわち記録トラック（図示せず）が磁気テープ５１の長手方向に沿って、幅方向に多数本並置形成される。
【００３２】
磁気ヘッド部１０は、図３にその要部の斜視図を示すように、それぞれ磁気ヘッド素子が配列された第１および第２の磁気ヘッドスタック部１１および１２と、これら第１および第２の磁気ヘッドスタック部１１および１２の間に配置された磁気記録再生に関与しないダミーヘッド部１４とが一体化された構成を有する。
第１および第２の磁気ヘッドスタック部１１および１２は、図７で説明したと同様に、磁気テープの同一データトラック（トラックのセンターをＣＴ１，ＣＴ２，ＣＴ３・・・として示す）に対応する記録磁気ヘッド素子１Ｗと再生磁気ヘッド素子１Ｐとが、それぞれ並置形成される。
そして、各スタック部１１および１２において、各記録磁気ヘッド素子１Ｗ同士、再生磁気ヘッド素子１Ｐ同士は、その磁気ギャップが、所定の間隔を保持してそれぞれトラック幅方向に直線的に配列される。
更に、記録磁気ヘッド素子１Ｗおよび再生磁気ヘッド素子１Ｐの配列部の両端に、サーボ信号再生磁気ヘッド素子１Ｓが配置される。
【００３３】
これら第１および第２の磁気ヘッドスタック部１１および１２は、それぞれ例えばアルチック等の基板に例えば電磁誘導型の薄膜磁気ヘッドより成る記録磁気ヘッド素子１Ｗと、例えば磁気抵抗素子（ＭＲ素子）による再生磁気ヘッド素子１Ｐおよびサーボ信号再生磁気ヘッド素子１Ｓが積層されて成る構成とすることができる。
【００３４】
また、磁気ヘッド部１０の磁気ヘッド素子の配列方向、すなわちトラック幅方向の長さは、磁気テープ５１の幅の２倍程度の長さに選定され、その長さの中央部に、上述した磁気ヘッド素子１Ｓ、１Ｗおよび１Ｐが配列された磁気ヘッド配列部１３が配置される。このようにして磁気ヘッド部１０の長さの選定により、磁気テープ５１の全トラックに対し所定の磁気ヘッド素子を対向させる磁気テープの幅方向の移行において、磁気ヘッド部１０が、磁気テープ５１の全幅に渡って、均一に対接ないしは対向状態を維持して、磁気テープ５１に不均一な応力を与えるような不都合を回避する。
【００３５】
そして、記録・再生時において、磁気ヘッド部１０が配置された磁気ヘッド構体６１を、例えば粗動追従機構６２によって磁気テープ５１の幅方向に移動させ、その磁気ヘッド素子の配列部１３を、選択されたデータバンドＤＢに持ち来たし、更に、このデータバンドＤＢで、例えば磁気テープ走行の往路において、第１の磁気ヘッドスタック部１１における各記録磁気ヘッド素子１Ｗを、これら記録磁気ヘッド素子の配置間隔に対応する選択されたデータトラックに対向させてデータ信号記録を行い、この記録を、同一トラックに位置する他方の第２の磁気ヘッドスタック部１２の再生磁気ヘッド素子１Ｐによって再生する。
【００３６】
磁気テープ走行の復路においては、磁気ヘッド部１０を、磁気テープ５１の幅方向に例えば粗動追従機構６２によって所定量移動させ、他の選択されたトラックに対向させ、第２の磁気ヘッドスタック部１２における各記録磁気ヘッド素子１Ｗによって、データ信号記録がなされる。続いて、この記録を、同一トラックに位置する第１の磁気ヘッドスタック部１１における再生磁気ヘッド素子１Ｐによって再生する。このようにして、各往路および復路において、第１および第２の磁気ヘッドスタック部１１および１２の共働によってそれぞれ複数のデータトラックに対して同時記録再生の動作がなされる。
【００３７】
このような往復移行が繰り返されて、全データバンドＤＢおよびデータトラックに対して上述した同時記録再生動作を行うことができるようになされる。
これら選択されたトラックに対する磁気ヘッド素子のトラッキングは、記録再生がなされるデータバンドＤＢを挟んで隣り合う、サーボバンドＳＢから読み出されたトラッキングサーボデータ信号によって微動追従機構６３を駆動して、第１および第２の磁気ヘッドスタック部１１および１２を磁気テープ５１の幅方向に微小調整移動することによってなされる。
【００３８】
本発明による磁気ヘッド装置６０における磁気ヘッド部１０は、第１および第２の磁気ヘッドスタック部１１および１２のそれぞれの磁気ヘッド素子が臨む磁気テープ５１の走行面１１ａおよび１１ｂが、それぞれ平滑平坦面とされ、これら磁気テープ走行面が同一平坦面上に配置された構成とする。
そして、上述したように、これら磁気ヘッドスタック部１１および１２間にダミーヘッド部１４が配置されて磁気ヘッド部１０が構成される。
【００３９】
ダミーヘッド部１４は、磁気ヘッドとして作用しない、すなわち作動磁気ギャップを具備しない例えばアルチック（ＡｌＴｉＣ）、セラミックス（ＣａＴｉＯ３等）、そのほか高硬度の金属等による磁性ブロックによって構成することができる。
これら磁気ヘッドスタック１１および１２とダミーヘッド部１４とは、それぞれ別体に構成されて接合合体されて一体化することができる。
このダミーヘッド部１４の前方面１４ａは、磁気テープ５１の磁気ヘッドとの対接面における表面性と同程度の鏡面性を有する平滑鏡面、具体的には、表面粗度Ｒａ（中心線平均粗さ）が、５０ｎｍ以下とされる。
【００４０】
そして、ダミーヘッド部１４の前方面１４ａは、第１および第２の磁気ヘッドスタック部１１および１２の磁気テープ走行面１１ａおよび１１ｂによる平坦面よりｄδ後退した位置に前方面１４ａが位置するように配置される。
このようにして、テープ走行面を形成する前方面が全体として平坦面として形成され、、両磁気ヘッドスタック部１１および１２間の中央に、深さｄδの凹部１４ａが、トラック幅方向に延長して形成された磁気ヘッド部１０が構成される。
【００４１】
また、磁気ヘッド部１０における上述した第１および第２の磁気ヘッドスタック部１１および１２の磁気テープ走行面からの後退深さ凹部１５の深さｄδは、充分浅い、２０ｎｍ以下とする。
【００４２】
第１および第２の磁気ヘッドスタック部のテープ走行方向と交叉する各両側端縁におけるラップ角θＬ１、θＲ１およびθＬ２、θＲ２を、０．５°〜７．０°、好ましくは０．５°〜５．０°とする。
これは、この範囲、殊に０．５°〜５°で、上述した磁気テープ５１の境界層の空気を効果的に掻き落とすことができ、かつ磁気ヘッドスタック部１１および１２の磁気テープ走行面に対し、磁気テープ５１が良好にランディングすることができることによる。
したがって、このラップ角度を精度良く保つことは、良好な記録、再生を行う上で極めて重要である。すなわち、このラップ角度が小さくなりすぎると上述した境界層の空気の掻き落としが阻害され、また、ラップ角度が大きくなると、磁気テープ５１の剛性によって、磁気ヘッドスタック部１１および１２の磁気テープ走行面への磁気テープのランディングが良好になされなくなって、適切な記録、再生が阻害される。
【００４３】
そして、この場合、第１および第２の磁気ヘッドスタック部１１および１２の互いに反対側のラップ角θＬ１およびθＲ２は、例えばその両側に配置される磁気テープの案内手段のガイドピン、ガイドローラ等の案内手段５５との位置関係で選定されるが、互いに対向する側、すなわち凹部１５と隣接する側のラップ角θＲ１およびθＬ２は、凹部１５に引き込まれる磁気テープ５１の角度によって決まる。
【００４４】
そして、本発明構成においては、前述したように、凹部１５の底面、すなわちダミーヘッド部１４の前方面１４ａを、平滑鏡面の、例えばＲａが５０ｎｍ以下で、平坦な面としたことによりベルヌーイの定理によって効果的に磁気テープの凹部１５の底面側の負圧が大となって磁気テープ５１が凹部１５内に引き込まれ、かつ安定して底面に沿って安定して走行する効果を得ることができるものである。
【００４５】
［実施例］
表面粗度Ｒａをｎｍとし、テープ速度を１００ｍｍとし、磁気ヘッドスタック部１１および１２のテープ走行面１１ａおよび１２ａと磁気テープ５１との間隔（スペーシング）を２０μｍとした。このとき、上述した凹部１５の底部側への磁気テープの引き込みが良好になされた。
したがって、上述した両磁気ヘッドスタック部１１および１２におけるラップ角θＲ１およびθＬ２は、安定して設定される。したがって、磁気テープ５１は、磁気ヘッドスタック部１１および１２のテープ走行面１１ａおよび１２ａに対して良好に、所要の対接ないしは対向状態で、安定した走行することから、スペーシングロスを最小に、また、磁気ヘッド素子に対する磨耗、特にＭＲヘッドの不必要な磨耗を回避でき、長超寿命化を図ることができる。
しかし、Ｒａが５０ｎｍを超えるとき、磁気テープの引き込みが不安定になってくることが確認された。
【００４６】
尚、上述したように、本発明においては、ダミーヘッド部１４によって凹部１５を形成するものであるが、この凹部１５のトラック幅方向の両端は、開放された溝構造とすることもでき、あるいは例えば磁気テープ５１が走行する位置より外側において、端部が閉塞された構造とすることもできる。
【００４７】
また、図４で説明した形態例においては、ダミーヘッド部１４の前方面が、全域に渡って一平面とされた場合であるが、例えば図５に、本発明による磁気ヘッド装置および磁気テープドライブ装置における磁気ヘッドの磁気ヘッド部１０の他の形態例の横断面図を示すように、ダミーヘッド部１４の前方面１４ａを、両磁気ヘッドスタック部１１および１２と隣接する両側縁において、上述した深さｄδより大の溝１４ｂ１および１４ｂ２を形成して、上述した、ラップ角θＲ１およびθＬ２の選定調整を行うとか、ダミーヘッド部１４と磁気ヘッドスタック部１１および１２との接合剤の前方面１４ａへのまわり込みを回避することができる。
【００４８】
また、本発明による磁気ヘッド装置、および磁気テープドライブ装置は、上述した例に限られるものではなく、本発明構成において、種々の変更を行うことができることはいうまでもない。
【図面の簡単な説明】
【００４９】
【図１】本発明によるリニアテープドライブ装置の一例の構成図である。
【図２】本発明装置の磁気ヘッド装置の一例の概略斜視図である。
【図３】本発明による磁気ヘッド装置の磁気ヘッド部の一例の要部の斜視図である。
【図４】本発明による磁気ヘッド装置の磁気ヘッド部の一例の横断面図である。
【図５】本発明による磁気ヘッド装置の磁気ヘッド部の一例の横断面図である。
【図６】磁気テープのフォーマットの例を示す模式図である。
【図７】従来装置の磁気ヘッド部の模式的正面図である。
【符号の説明】
【００５０】
１Ｗ・・・記録磁気ヘッド素子、１Ｐ・・・再生磁気ヘッド素子、１Ｓ・・・サーボ信号再生磁気ヘッド素子、１０・・・磁気ヘッド部、１１・・・第１の磁気ヘッドスタック部、１２・・・第２の磁気ヘッドスタック部、１３・・・磁気ヘッド素子の配列部、１４・・・ダミーヘッド部、１４ａ・・・前方面、１４ｂ１，１４ｂ２・・・溝、１５凹部、５１・・・磁気テープ、５２・・・第１の巻回部、５３・・・テープカセット、５４・・・テープカセット装着部、５５・・・案内手段、５６・・・第２の巻回体、６０・・・磁気ヘッド装置、６１・・・磁気ヘッド構体、６２・・・粗動追従機構、６３・・・微動追従機構、７０・・・磁気テープ走行駆動部、ＤＢ・・・データバンド、ＳＢ・・・サーボバンド、１０１・・・第１の磁気ヘッドスタック部、１０２・・・第２の磁気ヘッドスタック部
【図１】
2005276267.tif 000003
【図２】
2005276267.tif 000004
【図３】
2005276267.tif 000005
【図４】
2005276267.tif 000006
【図５】
2005276267.tif 000007
【図６】
2005276267.tif 000008
【図７】
2005276267.tif 000009